(57)【要約】【課題】運搬物が運搬ルートに沿って運搬されるよりも前に、運搬物が運搬ルートを通過する状況を確認できる運搬ルート提案システムを提供する。【解決手段】運搬ルート提案システム１は、携帯端末２と、端末装置３とを備える。端末装置３は、携帯端末２と通信回線Ｎを介して接続可能である。携帯端末２は、運搬物が運搬される運搬ルートＲを撮像して、運搬ルートＲを示すルート画像Ｇを生成する撮像部２１を有する。端末装置３は、画像を表示する端末側表示部３４と、端末側表示部３４を制御する端末側制御部３１とを有する。端末側制御部３１は、運搬物のサイズを示すサイズ情報に基づいて、運搬物を示す運搬物画像Ｍを生成する。端末側制御部３１は、ルート画像Ｇ上に前記運搬物画像を重ねて表示するように、端末側表示部３４を制御する。【選択図】図１
2018179929.tif 000002
【特許請求の範囲】
【請求項１】
携帯端末と、
前記携帯端末と通信回線を介して接続可能な端末装置と
を備え、
前記携帯端末は、運搬物が運搬される運搬ルートを撮像して、前記運搬ルートを示すルート画像を生成する撮像部を有し、
前記端末装置は、画像を表示する端末側表示部と、前記端末側表示部を制御する端末側制御部とを有し、
前記端末側制御部は、
前記運搬物のサイズを示すサイズ情報に基づいて、前記運搬物を示す運搬物画像を生成し、
前記ルート画像上に前記運搬物画像を重ねて表示するように、前記端末側表示部を制御する、運搬ルート提案システム。
【請求項２】
前記携帯端末は、前記ルート画像を表示する携帯側表示部と、前記携帯側表示部を制御する携帯側制御部とを更に有し、
前記携帯側制御部は、前記運搬ルートを撮像する際に、前記ルート画像上に前記運搬物画像を重ねて表示するように、前記携帯側表示部を制御する、請求項１に記載の運搬ルート提案システム。
【請求項３】
前記端末側制御部は、
前記ルート画像に基づいて、前記運搬ルートの道幅を含むルートサイズを計測して、前記ルートサイズを示す計測情報を生成し、
前記計測情報と前記サイズ情報とに基づいて、前記運搬物が前記運搬ルートを通過できるか否かを判定する、請求項１又は請求項２に記載の運搬ルート提案システム。
【請求項４】
前記端末側制御部は、
前記計測情報と前記サイズ情報とに基づいて、前記運搬ルートを評価して、前記評価を示す評価画像を生成し、
前記評価画像を表示するように、前記端末側表示部を制御する、請求項３に記載の運搬ルート提案システム。
【請求項５】
前記端末側制御部は、
複数の前記ルート画像に基づいて、複数の前記運搬ルートを評価し、
前記複数の運搬ルートの評価の各々を比較して、前記運搬物の運搬に最適な運搬ルートを特定する、請求項４に記載の運搬ルート提案システム。
【請求項６】
前記携帯端末は、前記運搬ルートの撮像時に前記携帯端末に作用する振動を検出する振動検出部を更に有し、
前記振動検出部は、前記携帯端末に作用する振動の大きさを示す振動情報を生成し、
前記端末側制御部は、
前記振動情報に基づいて、前記振動の大きさを示す振動画像を生成し、
前記ルート画像上に前記振動画像を重ねて表示するように、前記端末側表示部を制御する、請求項１から請求項５のいずれか１項に記載の運搬ルート提案システム。
【請求項７】
前記運搬物は、記録媒体に画像を形成する画像形成装置である、請求項１から請求項６のいずれか１項に記載の運搬ルート提案システム。
【発明の詳細な説明】
【技術分野】
【０００１】
本発明は、運搬ルート提案システムに関する。
【背景技術】
【０００２】
特許文献１に記載の画像形成装置は、衝撃検知手段と、制御部とを備える。衝撃検知手段は、画像形成装置が運搬ルートに沿って運搬される際に、画像形成装置に作用する衝撃を検知する。衝撃検知手段は、検知した衝撃の大きさを示す衝撃検知情報を制御部に出力する。制御部は、画像形成装置の運搬が終了した後に、衝撃検知情報と画像形成装置の各部の各々に設定された衝撃固有値とを比較する。特許文献１に記載の画像形成装置では、衝撃検知手段によって検知された衝撃が衝撃固有値を超える場合に、画像形成装置の各部の使用についての警告が報知される。
【先行技術文献】
【特許文献】
【０００３】
【特許文献１】特開２００９−１７９４１９号公報
【発明の概要】
【発明が解決しようとする課題】
【０００４】
しかしながら、特許文献１に記載の運搬物（画像形成装置）には、運搬物の運搬時に、運搬ルートに対応するように振動（衝撃）が作用する。したがって、運搬物が振動によって損傷するおそれがある。
【０００５】
本発明は、上記課題に鑑み、運搬物が運搬ルートに沿って運搬されるよりも前に、運搬物が運搬ルートを通過する状況を確認でき、運搬時に運搬物に作用する振動を抑制することができる運搬ルート提案システムを提供することを目的とする。
【課題を解決するための手段】
【０００６】
本発明の運搬ルート提案システムは、携帯端末と、端末装置とを備える。前記端末装置は、前記携帯端末と通信回線を介して接続可能である。前記携帯端末は、運搬物が運搬される運搬ルートを撮像して、前記運搬ルートを示すルート画像を生成する撮像部を有する。前記端末装置は、画像を表示する端末側表示部と、前記端末側表示部を制御する端末側制御部とを有する。前記端末側制御部は、前記運搬物のサイズを示すサイズ情報に基づいて、前記運搬物を示す運搬物画像を生成する。前記端末側制御部は、前記ルート画像上に前記運搬物画像を重ねて表示するように、前記端末側表示部を制御する。
【発明の効果】
【０００７】
本発明によれば、運搬物が運搬ルートに沿って運搬されるよりも前に、運搬物が運搬ルートを通過する状況を確認でき、運搬時に運搬物に作用する振動を抑制することができる。
【図面の簡単な説明】
【０００８】
【図１】本発明の実施形態に係る運搬ルート提案システムの構成を示すブロック図である。
【図２】本発明の実施形態に係る端末側表示部に表示される表示画像の一例を示す図である。
【図３】本発明の実施形態に係る複数の運搬ルートの一例を示す平面図である。
【図４】本発明の実施形態に係る第２運搬ルートの第２ポイントにおける表示画像を示す図である。
【図５】本発明の実施形態に係る第３運搬ルートの第３ポイントにおける表示画像を示す図である。
【図６】本発明の実施形態に係る端末側制御部による端末側表示部の制御を示すフローチャートである。
【発明を実施するための形態】
【０００９】
以下、図面を参照して、本発明に係る運搬ルート提案システム１の実施形態について説明する。なお、図中、同一又は相当部分については同一の参照符号を付して説明を繰り返さない。また、図面は、理解しやすくするために、それぞれの構成要素を主体に模式的に示している。
【００１０】
図１を参照して、本発明の実施形態に係る運搬ルート提案システム１について説明する。図１は、本発明の実施形態に係る運搬ルート提案システム１の構成を示すブロック図である。
【００１１】
運搬ルート提案システム１は、作業者が運搬ルートに沿って運搬物を運搬するよりも前に、運搬物が運搬ルートを通過する状況を作業者に確認させ得る。運搬ルートは、運搬物の運搬が開始される始点から運搬物の運搬が終了する終点まで延びる。本実施形態において、運搬物は、画像形成装置のような精密機器と、精密機器を梱包する梱包材とを含む。
【００１２】
画像形成装置は、例えば、複合機である。複合機は、例えば、印刷機能、複写機能、及びファクシミリ機能のうち少なくとも２つの機能を有する。画像形成装置は、プリンター、コピー、又はファクシミリであってもよい。
【００１３】
運搬ルート提案システム１は、携帯端末２と、端末装置３とを備える。携帯端末２は、例えば、撮像者によって携帯され得る。撮像者は、携帯端末２を用いて運搬ルートを撮像する。携帯端末２は、例えば、スマートフォン、携帯電話、タブレット型パソコン、又はノートパソコンである。携帯端末２は、撮像部２１と、振動検出部２２と、入力部２３と、携帯側制御部２４と、携帯側表示部２５とを有する。
【００１４】
入力部２３は、操作信号を携帯側制御部２４に出力する。操作信号は、撮像者の操作に対応する。撮像者の操作は、例えば、撮像部２１に撮像を開始させる操作、撮像部２１に撮像を終了させる操作、及び撮像部２１が撮像中の操作を含む。撮像中の操作は、例えば、撮像者が運搬ルートに対して注意すべきと判断した際の操作を含む。
【００１５】
撮像部２１は、運搬ルートを撮像して、運搬ルートを示すルート画像を生成する。撮像部２１は、例えば、動画を撮像可能なカメラ機能を有する。撮像部２１は、運搬ルートを動画として撮像する。撮像部２１は、撮像した動画をルート画像として携帯側制御部２４に出力する。ルート画像は、例えば、運搬ルートの始端から終端までを順次に示す。典型的には、ルート画像は、撮像者が携帯端末２を用いて運搬ルートを撮像しながら運搬ルートを通過することによって生成され得る。
【００１６】
振動検出部２２は、運搬ルートの撮像時に、携帯端末２に作用する振動を検出する。振動検出部２２は、振動情報を生成する。振動情報は、検出した振動の大きさを示す。振動検出部２２は、振動情報を携帯側制御部２４に出力する。振動検出部２２は、例えば、加速度センサーである。
【００１７】
携帯側表示部２５は、例えば、液晶ディスプレーから構成される。携帯側表示部２５は、各種の画面を表示する。携帯側表示部２５は、タッチ機能を有する。この場合に、携帯側表示部２５は、操作信号を携帯側制御部２４に出力する。操作信号は、撮像者によるタッチ操作を示す。また、携帯側表示部２５は、タッチ機能を有する場合に、入力部２３としても機能する。
【００１８】
携帯側制御部２４は、例えば、プロセッサーと、記憶部とを有する。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、コンピュータープログラムに基づいて、撮像部２１と、携帯側表示部２５とを制御する。コンピュータープログラムは、記憶部に予め記憶される。
【００１９】
携帯側制御部２４には、撮像部２１からルート画像が入力される。携帯側制御部２４は、運搬ルートの撮像時に、ルート画像を表示するように、携帯側表示部２５を制御する。この結果、撮像者は、携帯側表示部２５を介してルート画像を確認しながら運搬ルートを撮像することができ、例えば、運搬ルートの撮像精度が向上される。
【００２０】
携帯側制御部２４は、撮像部２１からルート画像が入力された際に、ルート画像を記憶部に記憶する。携帯側制御部２４は、例えば、撮像者の操作に応じて、端末装置３にルート画像を出力する。なお、携帯側制御部２４は、記憶部にルート画像を記憶することなく、端末装置３にルート画像を順次出力してもよい。
【００２１】
携帯側制御部２４は、振動検出部２２から振動情報が入力された際に、記憶部に振動情報を記憶する。記憶部は、振動情報をルート画像に関連付けて記憶する。携帯側制御部２４は、例えば、撮像者の操作に応じて、ルート画像とともに振動情報を端末装置３に出力する。なお、携帯側制御部２４は、記憶部に振動情報を記憶することなく、ルート画像とともに振動情報を端末装置３に順次出力してもよい。
【００２２】
携帯側制御部２４は、操作信号に基づいて操作情報を生成する。ここでの操作信号は、撮像者が運搬ルートに対して注意すべきと判断した際の撮像中の操作を示す。携帯側制御部２４は、操作情報を記憶部に記憶する。記憶部は、操作情報をルート画像に関連付けて記憶する。携帯側制御部２４は、撮像者の操作に応じて、ルート画像とともに操作情報を端末装置３に出力する。なお、携帯側制御部２４は、操作情報を記憶部に記憶することなく、ルート画像とともに操作情報を端末装置３に順次出力してもよい。
【００２３】
端末装置３は、通信回線Ｎを介して携帯端末２と接続される。通信回線Ｎは、例えば、インターネット、又は専用回線である。端末装置３は、通信回線Ｎを介して、携帯端末２との通信が可能である。
【００２４】
端末装置３には、ルート画像と、振動情報と、操作情報とが携帯端末２から入力される。端末装置３は、ルート画像と、振動情報と、操作情報と、運搬物情報とに基づいて、運搬物が運搬ルートを通過する状況を示す表示画像を生成する。
【００２５】
運搬物情報は、少なくとも運搬物のサイズを示す。また、運搬物情報は、例えば、運搬物の重量、及び閾値情報を含んでもよい。閾値情報は、精密機器の各部が許容する振動の大きさの閾値を示す。
【００２６】
端末装置３は、端末側制御部３１と、記憶部３２と、入力部３３と、端末側表示部３４とを有する。入力部３３は、操作者の操作に応じた操作信号を端末側制御部３１に出力する。操作者は、入力部３３を介して端末装置３を操作する。典型的には、入力部３３は、操作者が端末側制御部３１に運搬物情報を入力する際に用いられる。入力部３３は、例えば、キーボードである。
【００２７】
端末側表示部３４は、例えば、液晶ディスプレーから構成される。端末側表示部３４は、各種の画面を表示する。
【００２８】
記憶部３２は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等の半導体メモリーを有する。ＲＯＭは、例えば、端末側制御部３１によって実行される種々のコンピュータープログラムを記憶する。ＲＡＭは、例えば、ルート画像と、振動情報と、操作情報と、運搬物情報とを記憶する。記憶部３２は、振動情報及び操作情報をルート画像に関連付けて記憶する。
【００２９】
端末側制御部３１は、記憶部３２に予め記憶されたコンピュータープログラムを実行することにより、端末側表示部３４を制御する。端末側制御部３１は、例えば、ＣＰＵから構成される。
【００３０】
次に、図１及び図２を参照して、端末側制御部３１による端末側表示部３４の制御について説明する。詳しくは、端末側制御部３１は、ルート画像Ｇと、振動情報と、操作情報と、運搬物情報とに基づいて、表示画像Ｈを表示するように端末側表示部３４を制御する表示処理を実行する。図２は、端末側表示部３４に表示される表示画像Ｈの一例を示す図である。
【００３１】
図２に示すように、表示画像Ｈは、ルート画像Ｇと、運搬物画像Ｍと、コメント画像Ｓと、振動画像Ｔと、通過状況画像Ｕと、評価画像Ｗとを含む。運搬物画像Ｍは、ルート画像Ｇ上に重ねて表示される。運搬物画像Ｍは、運搬物を示す。
【００３２】
振動画像Ｔは、ルート画像Ｇ上に重ねて表示される。振動画像Ｔは、運搬物に作用する振動の大きさを示す。コメント画像Ｓは、ルート画像Ｇ上に重ねて表示される。コメント画像Ｓは、撮像者のコメントを示す。通過状況画像Ｕは、ルート画像Ｇ上に重ねて表示される。通過状況画像Ｕは、運搬ルートを通過する運搬物の状況を示す。評価画像Ｗは、ルート画像Ｇ上に重ねて表示される。評価画像Ｗは、運搬ルートの評価を示す。
【００３３】
コメント画像Ｓ、振動画像Ｔ、通過状況画像Ｕ、及び評価画像Ｗは、表示画像Ｈの端部に並べて表示される。本実施形態において、コメント画像Ｓ、振動画像Ｔ、通過状況画像Ｕ、及び評価画像Ｗは、表示画像Ｈの右側端部に上下方向に並べて表示される。
【００３４】
端末側制御部３１は、ルート画像Ｇを表示するように、端末側表示部３４を制御する。
【００３５】
端末側制御部３１は、運搬物情報に基づいて、運搬物画像Ｍを生成する。運搬物画像Ｍは、例えば、運搬物情報が示す運搬物のサイズに対応するように生成される。端末側制御部３１は、ルート画像Ｇ上に運搬物画像Ｍを重ねて表示するように、端末側表示部３４を制御する。運搬物画像Ｍは、例えば、運搬物を示す模式的な図であり、例えば、運搬物の外形を示す枠線、又は運搬物を示す半透明な図で示される。
【００３６】
本実施形態の運搬ルート提案システム１では、作業者が運搬物を運搬するよりも前に、運搬ルートと運搬ルートに対する運搬物のサイズとが表示画像Ｈに表示される。換言すると、作業者は、運搬物を運搬するよりも前に、運搬物が運搬ルートを通過する状況を確認することができる。この結果、本実施形態の運搬ルート提案システム１では、運搬時に運搬物に作用する振動を抑制することができ、運搬物の損傷を抑制することができる。
【００３７】
端末側制御部３１は、振動情報に基づいて、振動画像Ｔを生成する。振動画像Ｔは、例えば、閾値を超える大きさの振動を示す。端末側制御部３１は、ルート画像Ｇと振動情報とに基づいて、運搬ルートにおいて運搬物に振動が作用する位置を特定する。端末側制御部３１は、例えば、ルート画像Ｇが特定した位置まで再生された際に、振動画像Ｔを表示するように、端末側表示部３４を制御する。この結果、作業者は、運搬ルートに対応して運搬物に大きな振動が作用する位置を予め確認でき、運搬時に運搬物に作用する振動をより一層抑制することがきる。
【００３８】
なお、端末側制御部３１は、ルート画像Ｇの再生位置と振動画像Ｔの再生位置とが同期するように、端末側表示部３４を制御してもよい。また、端末側制御部３１は、例えば、振動の大きさに対応するように、ルート画像Ｇ上で運搬物画像Ｍを上下左右に連続的に移動させてもよい。
【００３９】
端末側制御部３１は、ルート画像Ｇに基づいて、運搬ルートのサイズを計測する。運搬ルートのサイズは、例えば、運搬ルートの道幅を含む。端末側制御部３１は、例えば、画像解析を用いてルート画像Ｇが示す運搬ルートの始点から終点までの道幅を順次計測する。端末側制御部３１は、計測結果に基づいて、運搬ルートのサイズを示す計測情報を生成する。本実施形態において、端末側制御部３１は、ルート画像Ｇを形成する複数の静止画のうち、予め設定された単位枚数毎の静止画が示す運搬ルートの道幅を計測する。なお、運搬ルートのサイズは、例えば、運搬ルートの高さを更に含んでもよい。
【００４０】
端末側制御部３１は、静止画から運搬ルートの道幅が計測できない場合に、例えば、計測できない静止画の前後の静止画から運搬ルートの道幅を計測する。なお、端末側制御部３１は、静止画から運搬ルートの道幅が計測できない場合に、エラー画面を表示するように、端末側表示部３４を制御してもよい。
【００４１】
端末側制御部３１は、計測情報と運搬物情報とに基づいて、運搬物が運搬ルートを通行できるか否かを判定する。詳しくは、端末側制御部３１は、計測情報が示す運搬ルートのサイズと運搬物のサイズとを比較する。端末側制御部３１は、運搬物のサイズよりも運搬ルートのサイズが大きい場合に、運搬物が運搬ルートを通過できると判定する。この場合に、端末側制御部３１は、運搬物が運搬ルートを通過できる通過状況画像Ｕを表示するように、端末側表示部３４を制御する。通過状況画像Ｕは、通過可を示す。
【００４２】
端末側制御部３１は、運搬ルートのサイズが運搬物のサイズよりも小さい場合に、運搬物が運搬ルートを通過できないと判定する。この場合に、端末側制御部３１は、運搬物が運搬ルートを通過できない通過状況画像Ｕを表示するように、端末側表示部３４を制御する。通過状況画像Ｕは、通過不可を示す。この結果、作業者は、通過状況画像Ｕを確認して、運搬物が運搬ルートを通過できるか否かを確認することができる。
【００４３】
端末側制御部３１は、運搬物が運搬ルートを通過することができないとの判定に用いた静止画が表示される位置までルート画像Ｇが再生された際に、通過状況画像Ｕを表示するように、端末側表示部３４を制御する。この結果、作業者は、運搬ルートにおいて、運搬物が通過できない位置を確認できる。また、作業者は、例えば、ルート画像Ｇを確認して運搬ルートのサイズを拡大でき、運搬物が運搬ルートを通過できると判断した場合に、入力部３３を介して、端末側制御部３１の通過不可の判定を通過可の判定に修正できる。
【００４４】
また、端末側制御部３１は、運搬物のサイズが運搬ルートのサイズよりも予め設定された範囲で小さい場合に、運搬物が運搬ルートを通過することが困難であると判定する。この場合に、端末側制御部３１は、運搬物が運搬ルートを通過することが困難である通過状況画像Ｕを表示するように、端末側表示部３４を制御する。通過状況画像Ｕは、通過困難を示す。この結果、作業者は、運搬ルートにおいて運搬物の運搬が困難になる位置を確認でき、運搬時に運搬物に作用する振動をより一層抑制することがきる。
【００４５】
端末側制御部３１は、操作情報に基づいて、コメント画像Ｓを表示するように、端末側表示部３４を制御する。端末側制御部３１は、操作信号が入力された位置までルート画像が再生された際に、コメント画像Ｓにコメントを表示するように端末側表示部３４を制御する。コメントは、撮像者から作業者への注意事項である。コメントは、例えば、入力部２３又は入力部３３を介して入力される。この結果、作業者は、撮像者からの注意事項を参考に運搬ルートを予め確認でき、運搬時に運搬物に作用する振動をより一層抑制することがきる。なお、注意事項は、例えば、運搬ルート上に割れ物のようなオブジェが配置されていること、又は運搬ルートを通過する際に作業を要するドアが配置されていることを示す。
【００４６】
端末側制御部３１は、ルート画像Ｇ、運搬物情報、振動情報、及び操作情報に基づいて、運搬物に対応するように運搬ルートを評価する。端末側制御部３１は、評価結果に基づいて、評価画像Ｗを生成する。本実施形態において、端末側制御部３１は、運搬ルートを５段階で評価する。端末側制御部３１は、例えば、振動情報、通過困難を示す通過判定、及び通過不可を示す通過判定がない場合に、運搬ルートを最高の５として評価する。逆に、端末側制御部３１は、例えば、通過不可を示す通過判定がある場合に、運搬ルートを最低の１で評価する。なお、端末側制御部３１は、例えば、通過困難を示す通過判定の回数、運搬物に作用する振動の大きさ及び回数、及び操作情報に対応するように、運搬ルートを２から４の範囲で評価する。端末側制御部３１は、評価画像Ｗを表示するように、端末側表示部３４を制御する。
【００４７】
端末側制御部３１は、始点と終点とが等しい複数の運搬ルートを示す複数のルート画像Ｇが入力された場合に、各ルート画像Ｇに基づいて、各運搬ルートを評価する。端末側制御部３１は、最も評価の高い運搬ルートが運搬物の運搬に最適であることを作業者に端末側表示部３４を介して報知する。この結果、作業者は、複数の運搬ルートのうちから運搬物の運搬に用いる最適な運搬ルートを容易に選択することができる。
【００４８】
次に、図１から図５を参照して、端末側表示部３４に表示される画像の一例について説明する。図３は、複数の運搬ルートＲの一例を示す平面図である。図４は、第２運搬ルートＲ２の第２ポイントＰ２における表示画像Ｈを示す図である。図５は、第３運搬ルートＲ３の第３ポイントＰ３における表示画像Ｈを示す図である。図２を参照して説明した表示画像Ｈは、第１運搬ルートＲ１における第１ポイントＰ１を示す。
【００４９】
図３に示すように、本実施形態では、複数の運搬ルートＲは、第１運搬ルートＲ１と、第２運搬ルートＲ２と、第３運搬ルートＲ３とを含む。第１運搬ルートＲ１は、始点ＰＳから第１ポイントＰ１を介して屈曲点Ｐ４まで直線状に延び、屈曲点Ｐ４から終点ＰＥまで直線状に延びる。第１ポイントＰ１には、登り階段が位置する。
【００５０】
第２運搬ルートＲ２は、始点ＰＳから屈曲点Ｐ５まで直線状に延び、屈曲点Ｐ５から第２ポイントＰ２を介して屈曲点Ｐ６まで直線状に延び、屈曲点Ｐ６から屈曲点Ｐ７まで直線状に延び、屈曲点Ｐ７から屈曲点Ｐ４まで直線状に延び、屈曲点Ｐ４から終点ＰＥまで直線状に延びる。第２ポイントＰ２には、第２運搬ルートＲ２の一方側の壁面から突出する柱が位置する。
【００５１】
第３運搬ルートＲ３は、始点ＰＳから屈曲点Ｐ８まで直線状に延び、屈曲点Ｐ８から第３ポイントＰ３を介して屈曲点Ｐ９まで直線状に延び、屈曲点Ｐ９から屈曲点Ｐ７まで直線状に延び、屈曲点Ｐ７から屈曲点Ｐ４まで直線状に延び、屈曲点Ｐ４から終点ＰＥまで直線状に延びる。第３ポイントＰ３には、第３運搬ルートＲ３の一方側の壁面に沿って配置された観葉植物が位置する。本実施形態において、端末側制御部３１には、複数の運搬ルートＲを示すルート画像として、第１運搬ルートＲ１を示すルート画像Ｇ１と、第２運搬ルートＲ２を示すルート画像Ｇ２と、第３運搬ルートＲ３を示すルート画像Ｇ３とが入力される。
【００５２】
図２に示すように、第１ポイントＰ１において、運搬物画像Ｍは、登り階段上に位置する。第１ポイントＰ１において、振動情報は、閾値よりも大きい振動を示す。この場合に、振動画像Ｔには、振動の大きさを示す波線が表示される。また、運搬物画像Ｍは、振動の大きさを示すように上下左右に連続的に移動する。
【００５３】
作業者は、図２に示す表示画像Ｈから、第１運搬ルートＲ１の第１ポイントＰ１に上り階段があることを確認することができる。また、作業者は、第１ポイントＰ１において、運搬物に作用する振動を確認することができる。また、作業者は、上り階段にともなう振動が運搬物に作用して、第１運搬ルートＲ１の評価が低下したことを確認することができる。
【００５４】
次に、図４に示すように、表示画像Ｈには、ルート画像Ｇ２が表示される。ルート画像Ｇ２は、第２運搬ルートＲ２の第２ポイントＰ２を示す。第２ポイントＰ２において、運搬物画像Ｍは、柱上に位置する。第２ポイントＰ２において、第２運搬ルートＲ２のサイズは、運搬物のサイズよりも小さい。
【００５５】
端末側制御部３１は、第２運搬ルートＲ２のサイズが運搬物のサイズよりも小さいため、第２ポイントＰ２において、運搬物が第２運搬ルートＲ２を通過できないと判定する。したがって、通過状況画像Ｕは、通過不可を示す。この結果、作業者は、第２運搬ルートＲ２の第２ポイントＰ２において、第２運搬ルートＲ２の道幅が運搬物の幅よりも小さく、運搬物が第２運搬ルートＲ２を通過できないおそれがあることを確認することができる。また、作業者は、運搬物が第２運搬ルートＲ２を通過できないため、第２運搬ルートＲ２の評価が最低評価であることを確認することができる。
【００５６】
次に、図５に示すように、表示画像Ｈには、ルート画像Ｇ３が表示される。ルート画像Ｇ３は、第３運搬ルートＲ３の第３ポイントＰ３を示す。第３ポイントＰ３において、運搬物画像Ｍは、観葉植物上に位置する。第３ポイントＰ３において、第３運搬ルートＲ３のサイズは、運搬物のサイズよりも小さい。一方、コメント画像Ｓには、観葉植物が移動可能であることを示すコメントが表示される。また、コメント入力時に、第３運搬ルートＲ３のサイズは、観葉植物が無い場合の第３運搬ルートＲ３のサイズに修正されている。したがって、運搬物画像Ｍは観葉植物上に位置するが、通過状況画像Ｕは、通過可を示す。この結果、作業者は、第３運搬ルートＲ３の第３ポイントＰ３において、観葉植物を移動させることによって、運搬物が第３運搬ルートＲ３を通過できることを確認することができる。
【００５７】
本実施形態では、端末側制御部３１は、第１運搬ルートＲ１に対する評価と、第２運搬ルートＲ２に対する評価と、第３運搬ルートＲ３に対する評価とを比較する。端末側制御部３１は、比較結果に基づいて、最も評価が高い第３運搬ルートＲ３が運搬物の運搬に最適であると特定する。端末側制御部３１は、第３運搬ルートＲ３が運搬物の運搬に最適であることを示す画像を表示するように、端末側表示部３４を制御する。
【００５８】
なお、端末側制御部３１は、運搬物情報に基づいて、例えば、運搬物の重量が閾値未満である場合に、運搬ルートの評価から振動情報に基づく評価を差し引いてもよい。本実施形態において、運搬物の重量が閾値未満である場合に、第１運搬ルートＲ１に対する評価は低下しない。したがって、端末側制御部３１は、第１運搬ルートＲ１が運搬物の運搬に最適であると特定する。
【００５９】
次に、図１から図６を参照して、端末側制御部３１による端末側表示部３４の制御について更に説明する。図６は、端末側制御部３１による端末側表示部３４の制御を示すフローチャートである。端末側制御部３１は、ルート画像Ｇ、振動情報、操作情報、及び運搬物情報が入力された後に、端末側表示部３４の制御を開始する。
【００６０】
図６に示すように、端末側制御部３１には、ステップＳ１０において、端末側表示部３４の制御の開始を示す操作信号が入力される。端末側制御部３１は、操作信号が入力された後に、ステップＳ２０において、運搬物情報に基づいて、運搬物画像Ｍを生成する。端末側制御部３１は、運搬物画像Ｍを生成した後に、ステップＳ３０において、運搬ルートＲのサイズを計測する。
【００６１】
端末側制御部３１は、運搬ルートＲのサイズを計測した後に、ステップＳ４０において、通過状況画像Ｕを生成する。端末側制御部３１は、通過状況画像Ｕを生成した後に、ステップＳ５０において、振動情報に基づいて、振動画像Ｔを生成する。端末側制御部３１は、振動画像Ｔを生成した後に、ステップＳ６０において、操作情報に基づいて、コメント画像Ｓを生成する。端末側制御部３１は、コメント画像Ｓを生成した後に、ステップＳ７０において、ルート画像Ｇ、振動情報、操作情報、及び運搬物情報に基づいて、評価画像Ｗを生成する。
【００６２】
端末側制御部３１は、評価画像Ｗを生成した後に、ステップＳ８０において、ルート画像Ｇを表示するように端末側表示部３４を制御する。端末側制御部３１は、ルート画像Ｇを端末側表示部３４に表示させるとともに、ステップＳ９０において、運搬物画像Ｍ、コメント画像Ｓ、振動画像Ｔ、通過状況画像Ｕ及び評価画像Ｗをルート画像Ｇ上に重ねて表示するように端末側表示部３４を制御する。端末側制御部３１は、ステップＳ９０の後に、端末側表示部３４の制御を終了する。
【００６３】
以上、図１から図６を参照して、本発明の実施形態に係る運搬ルート提案システム１について説明した。但し、本発明は、本実施形態に限られるものではなく、その要旨を逸脱しない範囲で種々の態様において実施することが可能である。
【００６４】
例えば、本発明の実施形態では、携帯側表示部２５に撮像中のルート画像Ｇが表示されるが、本発明はこれに限定されない。携帯側表示部２５には、撮像中のルート画像Ｇに加えて、運搬ルートの撮像を補助する画像が表示されてもよい。運搬ルートの撮像を補助する画像は、例えば、運搬物画像Ｍである。携帯側制御部２４は、撮像中のルート画像Ｇ上に運搬物画像Ｍを重ねて表示するように、携帯側表示部２５を制御する。この結果、撮像者は、運搬ルートＲの撮像時に、携帯側表示部２５を介して運搬ルートＲ上の運搬物画像Ｍを確認できる。なお、運搬物画像Ｍは、端末装置３から携帯端末２に入力される。また、運搬物画像Ｍは、端末装置３から入力される運搬物情報に基づいて、携帯側制御部２４によって生成されてもよい。
【００６５】
また、本発明の実施形態では、コメントが端末装置３の入力部３３から入力されていたが、本発明はこれに限定されない。コメントは、例えば、運搬ルートＲの撮像時に、携帯端末２の入力部２３から入力されてもよい。
【００６６】
また、本発明の実施形態では、ルート画像Ｇ、運搬物画像Ｍ、コメント画像Ｓ、振動画像Ｔ、通過状況画像Ｕ及び評価画像Ｗを端末装置３の端末側表示部３４に表示していたが、本発明はこれに限定されない。ルート画像Ｇ、運搬物画像Ｍ、コメント画像Ｓ、振動画像Ｔ、通過状況画像Ｕ及び評価画像Ｗは、作業者によって確認されればよい。ルート画像Ｇ、運搬物画像Ｍ、コメント画像Ｓ、振動画像Ｔ、通過状況画像Ｕ及び評価画像Ｗは、例えば、端末装置３から携帯端末２に出力され、携帯側表示部２５に表示されてもよい。この結果、作業者は、場所を選ばずに、運搬物を運搬する運搬ルートＲを確認することができる。
【００６７】
また、ルート画像Ｇ、運搬物画像Ｍ、コメント画像Ｓ、振動画像Ｔ、通過状況画像Ｕ及び評価画像Ｗを携帯端末２の携帯側表示部２５に表示する場合に、携帯側制御部２４は、例えば、振動画像Ｔの表示に対応するように、携帯端末２の振動機能を作動させてもよい。
【００６８】
また、本発明の実施形態では、携帯端末２を携帯した撮像者が運搬ルートＲを撮像するが、本発明はこれに限定されない。例えば、運搬物が車両のような運搬手段を用いて運搬される場合に、撮像部２１として車載カメラが採用されてもよい。また、携帯側表示部２５として車載テレビが採用されてもよい。なお、振動検出部２２は、車両内に配置されればよく、例えば、車載カメラに取り付けられる。この結果、運搬手段を用いて運搬物を運搬する作業者は、運搬物を運搬するよりも前に、運搬ルートＲを確認することができる。
【００６９】
また、本発明の実施形態では、端末装置３の入力部３３を介して運搬物のサイズが入力されていたが、本発明はこれに限定されない。運搬物のサイズは、例えば、携帯端末２によって撮像された運搬物を示す画像に基づいて、端末装置３の端末側制御部３１によって測定されてもよい。この結果、運搬物のサイズを測定する作業を軽減することができる。
【００７０】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００７１】
本発明は、運搬物を運搬するよりも前に、運搬ルートを確認することができる運搬ルート提案システムに利用可能である。
【符号の説明】
【００７２】
１        運搬ルート提案システム
２        携帯端末
３        端末装置
２１      撮像部
３１      端末側制御部
３４      端末側表示部
Ｒ        運搬ルート
Ｇ        ルート画像
Ｍ        運搬物画像
【図１】
2018179929.tif 000003
【図２】
2018179929.tif 000004
【図３】
2018179929.tif 000005
【図４】
2018179929.tif 000006
【図５】
2018179929.tif 000007
【図６】
2018179929.tif 000008